(57)【特許請求の範囲】
【請求項１】
電話局を示す自身の拠点の備える第一の試験装置により、この第一の試験装置と他の電話局を示す拠点の備える第二の試験装置との試験結果を報知する音質試験システムであって、
前記第二の試験装置から所定のレベル（音量）で送信された第一の音を受け、この音のレベルを測定して表示するとともに前記第一の音を放音し、前記第二の試験装置に所定のレベルで送信した第二の音のレベルの測定結果を示す第三の音を前記第二の試験装置から受けて放音し、操作者（試験員）の操作に基づき、前記第二の試験装置に送信した所定の音声に対応して、前記第二の試験装置から、前記所定の音声を録音した音声に対応した第四の音を受けて放音する前記第一の試験装置と、
前記第一の試験装置からの電話番号による発信を受け、前記第一の試験装置に前記第一の音を送信し、前記第一の試験装置から受信した前記第二の音のレベルを測定して前記測定結果を示す前記第三の音を送信し、前記第一の試験装置から送られた前記所定の音声を録音し、この録音した音声に対応した前記第四の音を前記第一の試験装置へ送信する前記第二の試験装置と、
を備え、
前記第四の音が前記録音した音声を含むことを特徴とする音質試験システム。
【請求項２】
前記第一の試験装置は、
前記第二の試験装置と交換機を介して電話回線で接続され、
前記第二の試験装置からの要請に応じて前記第二の試験装置に前記第二の音を送信し、
前記第二の試験装置からの録音開始を示す通知に応じて、操作者（試験員）の操作に基づき、前記所定の音声を送信し、
前記第二の試験装置は、
前記第一の試験装置に送信した前記要請に対応して前記第一の試験装置から前記第二の音の受信し、
前記第一の試験装置への前記録音開始を示す前記通知を送信し、この送信に対応して前記第一の試験装置から送られた前記所定の音声を録音する、
ことを特徴とする請求項１記載の音質試験システム。
【請求項３】
前記第一の音、前記第二の音、前記第三の音、及び前記第四の音の各音は、トーキ音である、ことを特徴とする請求項１又は２記載の音質試験システム。
【請求項４】
前記第一の試験装置は、前記第二の試験装置から前記第二の音の発信の前記要請を示すトーキ音を受けて放音し、操作者（試験員）の操作に基づき、前記第二の音を前記第二の試験装置へ送信する、
ことを特徴とする請求項１、２又は３記載の音質試験システム。
【請求項５】
前記第一の試験装置は、前記第二の試験装置からの録音開始を示す前記通知を示すトーキ音を受けて放音し、操作者（試験員）の操作に基づき、前記所定の音声を送信する、
ことを特徴とする請求項２記載の音質試験システム。
【請求項６】
前記第一の試験装置は、前記第二の試験装置に送信する前記所定の音声を、電話機を使用して送信する、
ことを特徴とする請求項１、２又は３記載の音質試験システム。
【請求項７】
前記第二の試験装置を備える前記他の拠点は、複数あることを特徴とする請求項１から６のいずれかに記載の音質試験システム。
【請求項８】
電話局を示す自身の拠点の備える第一の試験装置により、この第一の試験装置と他の電話局を示す拠点の備える第二の試験装置との試験結果を報知する音質試験方法であって、
前記第二の試験装置により、前記第一の試験装置からの電話番号による発信を受け、前記第一の試験装置に第一の音を所定のレベル（音量）で送信し、
前記第一の試験装置により、前記第二の試験装置から前記第一の音を受け、この音のレベルを測定して表示するとともに前記第一の音を放音し、
前記第一の試験装置により、前記第二の試験装置に第二の音を所定のレベルで送信し、
前記第二の試験装置により、前記第一の試験装置から受信した前記第二の音のレベルを測定して前記測定結果を示す第三の音を前記第一の試験装置に送信し、
前記第一の試験装置により、前記第三の音を前記第二の試験装置から受けて放音し、
前記第一の試験装置により、操作者（試験員）の操作に基づき、所定の音声を前記第二の試験装置に送信し、
前記第二の試験装置により、前記第一の試験装置から送られた前記所定の音声を録音し、この録音した音声に対応した第四の音を前記第一の試験装置へ送信し、
前記第一の試験装置により、前記第二の試験装置から、前記第四の音を受けて放音し、
前記第四の音が前記録音した音声を含む、
ことを特徴とする音質試験方法。
【請求項９】
前記第一の試験装置は、
前記第二の試験装置と交換機を介して電話回線で接続され、
前記第二の試験装置からの要請に応じて前記第二の試験装置に前記第二の音を送信し、
前記第二の試験装置からの録音開始を示す通知に応じて、操作者（試験員）の操作に基づき、前記所定の音声を送信し、
前記第二の試験装置は、
前記第一の試験装置に送信した前記要請に対応して前記第一の試験装置から前記第二の音の受信し、
前記第一の試験装置への前記録音開始を示す前記通知を送信し、この送信に対応して前記第一の試験装置から送られた前記所定の音声を録音する、
ことを特徴とする請求項９記載の音質試験方法。
【発明の詳細な説明】
【技術分野】
【０００１】
本発明は、音質試験システム、試験装置、及び音質試験方法に関し、トーンの音質を確認できる音質試験システム、試験装置、及び音質試験方法に関する。
【背景技術】
【０００２】
通常、電話交換機システムの音量、音の明瞭度を調べる音質試験は、電話交換機システムに含まれる自動応答システムやトーキシステムを利用することによって、各拠点の電話交換機システム間で通話することなく行っている。すなわち、各拠点の電話交換機システムへ人員を配置することなく、一つの拠点の電話交換機システムへ試験員等の操作者を配置するのみで、行っている。音の明瞭度とは、例えば、エコーの有無、音の途切れの有無、雑音の有無を示す。
【０００３】
この電話交換機システムの音質試験の技術が特許文献１に開示されている。特許文献１に開示の自動伝送特性測定方法を使用したシステムは、図５で示すように、発信局側の自動伝送特性測定装置（ＡＴＭＥ（ａ）１０）と着信局側の自動伝送特性測定装置（ＡＴＭＥ（ｂ）１１）とをそれぞれの交換機を介して接続する。そして、ＡＴＭＥ（ａ）１０の主導により、各ＭＦ（Ｍｕｌｔｉ  Ｆｒｅｑｕｅｎｃｙ：多周波数）コードによる指示に基づき、互いに送出したトーンのレベルを互いに測定し、ＡＴＭＥ（ａ）１０側で、これらのトーンの測定結果を取得している。トーンのレベルとは、例えば、１ｍＷの電力を基準値（０ｄＢｍ）としたときのトーンの電気信号の大きさを示す。
【０００４】
すなわち、保守者がＡＴＭＥ（ａ）１０の入力部より測定開始指示を出すと、ＡＴＭＥ（ａ）１０は、自身が収容されている交換機へ測定指示があったことと、被測定回線番号情報を伝達し、この交換機は着信局へ発呼する。着信局は被測定回線番号情報に基づきこの発呼をＡＴＭＥ接続呼と判断して、着信局に収容されているＡＴＭＥ（ｂ）１１に接続する。そして、発信局側のＡＴＭＥ（ａ）１０が着信局側のＡＴＭＥ（ｂ）１１に対してＭＦコード１（８００Ｈｚ、０ｄＢｍのトーンを送出せよ）を送出すると、着信局側のＡＴＭＥ（ｂ）１１は８００Ｈｚ、０ｄＢｍのトーンを送出する。発信局側のＡＴＭＥ（ａ）１０はこのトーンのレベル（音量）を測定する。このため、この測定結果とトーン送出時のレベル（０ｄＢｍ）との差に基づき、発信局側のＡＴＭＥ（ａ）１０で受けたトーンの音量の良否が確認できる。また、このトーンを発信局側の保守者が聞くことにより音の明瞭度の良否が確認できる。発信局側のＡＴＭＥ（ａ）１０はトーンのレベル測定が完了するとＭＦコード１３（測定方向反転）を送出して測定方向反転指示を出す。そして、発信局側のＡＴＭＥ（ａ）１０は、８００Ｈｚ、０ｄＢｍのトーンを送出する。着信局側のＡＴＭＥ（ｂ）１１はこのトーンのレベルを測定する。そして、着信局側のＡＴＭＥ（ｂ）１１は発信局側のＡＴＭＥ（ａ）１０に対してこのトーンのレベルの測定結果をＭＦコードで報告する。このため、発信局側のＡＴＭＥ（ａ）１０で、着信局側のＡＴＭＥ（ｂ）１１が受けたトーンのレベルの測定結果とトーン送出時のレベル（０ｄＢｍ）との差に基づき、着信局側のＡＴＭＥ（ｂ）１１で受けたトーンの音量の良否が確認できる。しかし、着信局側のＡＴＭＥ（ｂ）１１が受けたトーンの音の明瞭度の良否は確認できない。
【先行技術文献】
【特許文献】
【０００５】
【特許文献１】特開昭６４−５３６６６号公報
【発明の概要】
【発明が解決しようとする課題】
【０００６】
上述した特許文献１に開示の自動伝送特性測定方法は、発信局側のＡＴＭＥ（ａ）１０により、着信局側のＡＴＭＥ（ｂ）１１が送出した８００Ｈｚ、０ｄＢｍのトーンのレベルを測定する。このため、この測定結果と着信局側のＡＴＭＥ（ｂ）１１が送出したトーン送出時のレベル（０ｄＢｍ）との差に基づき、発信局側のＡＴＭＥ（ａ）１０で受けたトーンの音量の良否が確認できる。また、このトーンを発信局側の保守者が聞くことにより、発信局側でこのトーン音の明瞭度の良否が確認できる。すなわち、発信局側で、着信局側の送出したトーンの音質（トーンのレベル、トーンの音の明瞭度）の良否を確認できる。また、特許文献１に開示の自動伝送特性測定方法は、発信局側のＡＴＭＥ（ａ）１０により、着信局側のＡＴＭＥ（ｂ）１１が測定した、自身のＡＴＭＥ（ａ）１０が送出した８００Ｈｚ、０ｄＢｍのトーンのレベルの測定結果を、着信局側のＡＴＭＥ（ｂ）１１から受ける。このため、着信局側のＡＴＭＥ（ｂ）１１が受けたトーンのレベルの測定結果と発信局側のＡＴＭＥ（ａ）１０が送出したトーン送出時のレベル（０ｄＢｍ）との差に基づき、着信局側のＡＴＭＥ（ｂ）１１で受けたトーンの音量の良否が確認できる。しかし、着信局側のＡＴＭＥ（ｂ）１１で受けたトーンを発信局側の保守者は聞くことができないので、発信局側では、着信局側のＡＴＭＥ（ｂ）１１が受けたトーン音の明瞭度の良否は確認できない。すなわち、発信局側で、着信局側が受けたトーンの音質のうちの、トーンのレベルの良否は確認できるが、トーンの音の明瞭度の良否は確認できないといった問題がある。
【０００７】
本発明の目的は、上記課題を解決して、発信局側で、着信局側の送出したトーンの音質の良否を確認できるとともに、着信局側が受けたトーンの音質の良否も確認できる音質試験システム、試験装置、及び音質試験方法を提供することである。
【課題を解決するための手段】
【０００８】
本発明の音質試験システムは、電話局を示す自身の拠点の備える第一の試験装置により、この第一の試験装置と他の電話局を示す拠点の備える第二の試験装置との試験結果を報知する音質試験システムであって、前記第二の試験装置から所定のレベル（音量）で送信された第一の音を受け、この音のレベルを測定して表示するとともに前記第一の音を放音し、前記第二の試験装置に所定のレベルで送信した第二の音のレベルの測定結果を示す第三の音を前記第二の試験装置から受けて放音し、操作者（試験員）の操作に基づき、前記第二の試験装置に送信した所定の音声に対応して、前記第二の試験装置から、前記所定の音声を録音した音声に対応した第四の音を受けて放音する前記第一の試験装置と、
前記第一の試験装置からの電話番号による発信を受け、前記第一の試験装置に前記第一の音を送信し、前記第一の試験装置から受信した前記第二の音のレベルを測定して前記測定結果を示す前記第三の音を送信し、前記第一の試験装置から送られた前記所定の音声を録音し、この録音した音声に対応した前記第四の音を前記第一の試験装置へ送信する前記第二の試験装置と、を備えている。
【０００９】
本発明の試験装置は、所定の試験対象装置から所定のレベル（音量）で送信された音に対して受信した第一の音のレベルを表示するとともに前記第一の音を放音し、前記試験対象装置に所定のレベルで送信した第二の音の前記試験対象装置でのレベルの測定結果を示す第三の音を前記試験対象装置から受けて放音し、前記試験対象装置に送信した所定の音声の複製を、前記試験対象装置から受信して放音する。
【００１０】
本発明の音質試験方法は、電話局を示す自身の拠点の備える第一の試験装置により、この第一の試験装置と他の電話局を示す拠点の備える第二の試験装置との試験結果を報知する音質試験方法であって、前記第二の試験装置により、前記第一の試験装置からの電話番号による発信を受け、前記第一の試験装置に第一の音を所定のレベル（音量）で送信し、前記第一の試験装置により、前記第二の試験装置から前記第一の音を受け、この音のレベルを測定して表示するとともに前記第一の音を放音し、前記第一の試験装置により、前記第二の試験装置に第二の音を所定のレベルで送信し、前記第二の試験装置により、前記第一の試験装置から受信した前記第二の音のレベルを測定して前記測定結果を示す前記第三の音を前記第一の試験装置に送信し、前記第一の試験装置により、前記第三の音を前記第二の試験装置から受けて放音し、前記第一の試験装置により、操作者（試験員）の操作に基づき、所定の音声を前記第二の試験装置に送信し、前記第二の試験装置により、前記第一の試験装置から送られた前記所定の音声を録音し、この録音した音声に対応した前記第四の音を前記第一の試験装置へ送信し、前記第一の試験装置により、前記第二の試験装置から、前記第四の音を受けて放音するようにしている。
【発明の効果】
【００１１】
本発明によれば、発信局側で、着信局側の送出したトーンの音質の良否を確認できるとともに、着信局側が受けたトーンの音質の良否も確認できる音質試験システム、試験装置、及び音質試験方法を提供することができる。
【図面の簡単な説明】
【００１２】
【図１】本発明の第１の実施の形態に係る音質試験システムの一例を示す図である。
【図２】本発明の第２の実施の形態に係る音質試験システムの一例を示す図である。
【図３】本発明の第２の実施の形態に係る音質試験システムの動作のうちの第一の試験装置と第二の試験装置とを接続する一例を示すフローチャートである。
【図４】本発明の第２の実施の形態に係る音質試験システムの動作のうちの第一の試験装置と第二の試験装置との接続後の音質試験実施の一例を示すフローチャートである。
【図５】関連技術における自動伝送特性測定方法を使用するシステムを示す図である。
【発明を実施するための形態】
【００１３】
次に、本発明の実施の形態について図面を参照して説明する。
（第１の実施の形態）
図１は、本発明の第１の実施の形態に係る音質試験システムの一例を示す図である。
【００１４】
本実施の形態に係る音質試験システム１は、第一の試験装置２と、第二の試験装置３とにより構成される。図１には、第一の試験装置２を備えた電話局を示す拠点Ａと、第二の試験装置３を備えた電話局を示す拠点Ｂも記載してある。拠点間は電話回線で接続されている。音質試験システム１は、第一の試験装置２により、この第一の試験装置２と第二の試験装置３との試験結果を報知するシステムである。第一の試験装置２、及び第二の試験装置３は音質試験装置である。
【００１５】
第一の試験装置２は、第二の試験装置（試験対象装置）３から所定のレベル（音量）で送信された第一の音を受け、この音のレベルを測定して表示するとともに第一の音を放音する。そして、第二の試験装置３に所定のレベルで送信した第二の音のレベルの測定結果を示す第三の音を第二の試験装置３から受けて放音する。また、第二の試験装置３に送信した所定の音声に対応して、第二の試験装置３から、この所定の音声を録音した音声に対応した第四の音を受けて放音する。
【００１６】
第二の試験装置３は、第一の試験装置２からの電話番号による発信を受け、第一の試験装置２に第一の音を送信する。そして、第一の試験装置２から受信した第二の音のレベルを測定して測定結果を示す第三の音を送信する。また、第一の試験装置２から送られた所定の音声を録音した音声に対応した第四の音を第一の試験装置２へ送信する。
【００１７】
次に、本実施の形態の音質試験システムの動作を説明する。
【００１８】
第二の試験装置３は、操作者（試験員）の操作に基づき、第一の試験装置２からの電話番号による発信を受け、電話回線を介して第一の試験装置２に第一の音を送信する。第一の試験装置２は、第二の試験装置３から所定のレベル（音量）で送信された第一の音を受け、この音のレベルを測定して表示部（不図示）に表示するとともに第一の音をスピーカ（不図示）により放音する。
【００１９】
操作者（試験員）は、表示された第一の音のレベルの測定結果と第一の試験装置２が送信したときの第一の音の所定のレベル（例えば、０ｄＢｍ）との差に基づき、第一の音の音量の良否を確認することができる。また、操作者（試験員）は、放音された第一の音を聞き、音の明瞭度の良否を確認することができる。音の明瞭度とは、例えば、エコーの有無、音の途切れの有無、雑音の有無を示す。
【００２０】
次に、第一の試験装置２は、第二の試験装置３に第二の音を所定のレベルで送信する。第二の試験装置３は、第一の試験装置２から受信した第二の音のレベルを測定して測定結果を示す第三の音を送信する。第一の試験装置２は、第二の音のレベルの測定結果を示す第三の音を第二の試験装置３から受けて放音する。
【００２１】
操作者（試験員）は、放音された第三の音から、第二の音のレベルの測定結果を認識し、この測定結果と、第一の試験装置２が送信したときの第二の音の所定のレベル（例えば、０ｄＢｍ）との差に基づき、第一の試験装置２が送信し、第二の試験装置３が受けた第二の音の音量の良否を確認することができる。
【００２２】
次に、第一の試験装置２は、操作者（試験員）の操作に基づき、第二の試験装置３に所定の音声を送信する。第二の試験装置３は、第一の試験装置２から送られた所定の音声を録音した音声に対応した第四の音を第一の試験装置２へ送信する。第一の試験装置２は、第二の試験装置３から、第四の音を受けて放音する。
【００２３】
操作者（試験員）は、放音されたこの第四の音を聞き、第一の試験装置２から第二の試験装置３に送られた所定の音声に対応する第二の試験装置３側での音（所定の音声を録音した音）の明瞭度の良否を確認することができる。
【００２４】
このように、本発明の第１の実施の形態によれば、発信局側の第一の試験装置で、着信局側の第二の試験装置が送出した音の音質の良否を確認できるとともに、発信局側の第一の試験装置が送出し、着信局側の第二の試験装置が受けた音や音声の音質の良否も確認できる。
（第２の実施の形態）
図２は、本発明の第２の実施の形態に係る音質試験システムの一例を示す図である。
【００２５】
本発明の第２の実施の形態は、第１の実施の形態の音質試験システム１の第一の試験装置２と第二の試験装置３をより具体化したものである。したがって、主に第１の実施の形態と相違する部分について説明する。図１には、第一の試験装置２を備えた電話局を示す拠点Ａと、第二の試験装置３を備えた電話局を示す拠点Ｂと、第一の試験装置２と第二の試験装置３を接続する交換機も記載してある。
【００２６】
本実施の形態に係る音質試験システム１は、第一の試験装置２と、第二の試験装置３とにより構成される。
【００２７】
第一の音、第二の音、第三の音、及び第四の音の各音は、トーキ音である。トーキ音とは、例えば、電話サービスにおける自動音声ガイダンス（例えば“音質を確認してください”等）を行うトーキ発信システムにより発生する音である。以降、第一から第四のそれぞれの音を、第一のトーキ音、第二のトーキ音、第三のトーキ音、及び第四のトーキ音と記載する。
【００２８】
第一の試験装置２は、第二の試験装置３と交換機を介して電話回線で接続される。第一の試験装置２は、第二の試験装置３から第二のトーキ音の発信の要請を示すトーキ音を受けて放音し、操作者（試験員）の操作に基づき、第二の試験装置３に第二のトーキ音を送信する。第一の試験装置２は、第二の試験装置３からの録音開始を示す通知を示すトーキ音を受けて放音し、操作者（試験員）の操作に基づき、第二の試験装置３に送信する所定の音声を、電話機を使用して送信する。
【００２９】
第二の試験装置３は、第一の試験装置２に送信した要請に対応して第一の試験装置２から第二のトーキ音を受信し、第一の試験装置２への録音開始を示す通知を送信し、この送信に対応して第一の試験装置２から送られた所定の音声を録音する。
【００３０】
次に、本実施の形態の音質試験システムの動作を、図３、図４を使用して説明する。
【００３１】
図３は、本発明の第２の実施の形態に係る音質試験システムの動作のうちの第一の試験装置と第二の試験装置とを接続する一例を示すフローチャートである。
【００３２】
図４は、本発明の第２の実施の形態に係る音質試験システムの動作のうちの第一の試験装置と第二の試験装置との接続後の音質試験実施の一例を示すフローチャートである。
【００３３】
最初に、第一の試験装置２と第二の試験装置３を接続する。
【００３４】
図３のステップＡ１では、音質試験を実施する操作者（試験員）の操作に基づき、拠点Ａの第一の試験装置２から、第二の試験装置３に対応する番号により発信する。すなわち、第一の試験装置２は、発呼信号と選択信号（ＤＰ（Ｄｉａｌ  Ｐｕｌｓｅ）信号、ＰＢ（Ｐｕｓｈ  Ｂｕｔｔｏｎ）信号等）を第一の交換機４に送る。第一の試験装置２は、電話機と同様（例えば、ハンドセットのオフフック）により、番号発信、音声受発信が可能である。
【００３５】
図３のステップＡ２では、第一の交換機４は、起動信号と第二の試験装置３を選ぶ選択信号を第二の交換機５へ送る。
【００３６】
図３のステップＡ３では、第二の交換機５は、起動信号と第二の試験装置３を選ぶ選択信号を受け、呼出信号を第二の試験装置３へ送る。
【００３７】
図３のステップＡ４では、第二の試験装置３は、例えば自動応答システムにより、呼出信号に応答して応答信号を第二の交換機５へ送る。
【００３８】
図３のステップＡ５では、第二の交換機５は、応答信号を受け、第一の交換機４に応答信号を送る。
【００３９】
図３のステップＡ６では、第一の交換機４は、応答信号を受け、第一の試験装置２と接続する。これにより、第一の試験装置２は、拠点Ａ、拠点Ｂ内の交換機を介して、第二の試験装置３に電話回線により接続される。
【００４０】
ここから、音質試験を開始する。
【００４１】
図４のステップＢ１では、第二の試験装置３は、第一の試験装置２に音質確認を要請する第一のトーキ音を、例えばトーキ発信システムにより、所定のレベル（音量）（例えば、０ｄＢｍ）で送信する。ここでは、例えば“音質を確認してください”等が送信される。
【００４２】
図４のステップＢ２では、第一の試験装置２は、第二の試験装置３から送信された第一の卜一キ音を受け、この第一の卜一キ音のレベルを、例えば、レベル測定システムにより測定する。そして、測定結果を表示部（不図示）に表示するとともに第一の卜−キ音をスピーカ（不図示）により放音する。
【００４３】
操作者（試験員）は、表示された第一の卜一キ音のレベルの測定結果と第一の試験装置２が送信したときの第一の卜一キ音の所定のレベル（例えば、０ｄＢｍ）との差に基づき、第一の卜一キ音の音量の良否を確認することができる。また、操作者（試験員）は、放音された第一の卜−キ音を聞き、この音の明瞭度の良否を確認することができる。音の明瞭度とは、例えば、エコーの有無、音の途切れの有無、雑音の有無を示す。
【００４４】
図４のステップＢ３では、第二の試験装置３は、一定時間（例えば、音質確認が十分に行える時間）経過後、第一の試験装置２に音声信号を送信するようトーキ音により要請する。例えば、トーキ発信システムにより、 “音声信号を送信してください”等を送信する。
【００４５】
図４のステップＢ４では、第一の試験装置２は、“音声信号を送信してください”のトーキ音を受けて放音し、操作者（試験員）はこの放音を聞く。そして、操作者（試験員）の操作に基づき、トーキ発信システムにより、第二の卜一キ音を所定のレベル（例えば、０ｄＢｍ）で送信する。例えば、操作者（試験員）がトーキ発信システムにレベル指定の数値を入力することにより所定の音声信号をトーキ音により発信する。
【００４６】
図４のステップＢ５では、第二の試験装置３は、第一の試験装置２から第二のトーキ音を受信し、この受信した第二のトーキ音のレベルを、レベル測定システムにより測定する。そして、この測定結果（例えば、−３ｄＢｍ）をトーキ発信システムによりトーキ音（第三のトーキ音）にて第一の試験装置２に送信する。
【００４７】
図４のステップＢ６では、第一の試験装置２は、第二のトーキ音のレベルの測定結果を示す第三の卜−キ音を受けスピーカ（不図示）により放音する。
【００４８】
操作者（試験員）は、放音された第三の卜−キ音を聞き、第二のトーキ音のレベルの測定結果を認識し、この測定結果と第一の試験装置２が送信したときの第二の卜一キ音の所定のレベル（例えば、０ｄＢｍ）との差に基づき、第二の試験装置３側における第二の卜一キ音の音量の良否を確認することができる。
【００４９】
図４のステップＢ７では、第二の試験装置３は、第一の試験装置２に、例えば、トーキ発信システムにより、“録音を開始します”等のトーキ音を送信することにより、録音開始を示す通知を送信する。
【００５０】
図４のステップＢ８では、第一の試験装置２は、第二の試験装置３から、録音開始を示す通知“録音を開始します”等のトーキ音を受けて、スピーカ（不図示）により放音する。操作者（試験員）は、放音された録音開始を示す通知を示すトーキ音を聞く。そして、操作者（試験員）の操作に基づき、第二の試験装置３に送信する所定の音声を、電話機を使用して送信する。すなわち、操作者（試験員）は、第二の試験装置３で録音するための所定の音声を、第一の試験装置２に設定されている電話機から実際に発声することにより、第二の試験装置３に送信する。
【００５１】
図４のステップＢ９では、第二の試験装置３は、録音システムにより、第一の試験装置２の電話機から送信された音声を録音し、この録音した音声を第四のトーキ音としてトーキ発信システムにより、第一の試験装置２に送信する。
【００５２】
図４のステップＢ１０では、第一の試験装置２は、第二の試験装置３から送信された第四の卜一キ音を受け、スピーカ（不図示）により放音する。
【００５３】
操作者（試験員）は、放音されたこの第四の音を聞き、第一の試験装置２から第二の試験装置３に送られた所定の音声に対応する第二の試験装置３側での音（所定の音声を録音した音）の明瞭度の良否を確認することができる。
【００５４】
そして、操作者（試験員）の操作に基づき、第一の試験装置２は、例えば、ハンドセットのオンフック等による終了指示に基づき音質試験を終了する。すなわち、第一の交換機４が終了指示を検知して終話信号を第二の交換機５に送り、第二の交換機５が第二の試験装置３に切断を送信して、音質試験を終了する。
【００５５】
このように、本発明の第２の実施の形態によれば、発信局側の第一の試験装置で、着信局側の第二の試験装置が送出した音の音質の良否を確認できるとともに、発信局側の第一の試験装置が送出し、着信局側の第二の試験装置が受けた音の音質の良否も確認できる。
【００５６】
尚、上記の説明では、拠点Ｂを一つ、すなわち、第二の試験装置を一つとして説明したが、拠点Ｂ（第二の試験装置）は一つにこだわることなく、複数設定しても良い。この場合には、拠点Ａ（第一の試験装置）は、複数の拠点Ｂ（第二の試験装置）のそれぞれに対して、上記で説明した一つの拠点Ｂ（第二の試験装置）に対する動作と同様の動作を並行して行うことができる。
【００５７】
上記の実施形態の一部または全部は、以下の付記のように記載され得るが、以下には限られない。
（付記１）
電話局を示す自身の拠点の備える第一の試験装置により、この第一の試験装置と他の電話局を示す拠点の備える第二の試験装置との試験結果を報知する音質試験システムであって、
前記第二の試験装置から所定のレベル（音量）で送信された第一の音を受け、この音のレベルを測定して表示するとともに前記第一の音を放音し、前記第二の試験装置に所定のレベルで送信した第二の音のレベルの測定結果を示す第三の音を前記第二の試験装置から受けて放音し、操作者（試験員）の操作に基づき、前記第二の試験装置に送信した所定の音声に対応して、前記第二の試験装置から、前記所定の音声を録音した音声に対応した第四の音を受けて放音する前記第一の試験装置と、
前記第一の試験装置からの電話番号による発信を受け、前記第一の試験装置に前記第一の音を送信し、前記第一の試験装置から受信した前記第二の音のレベルを測定して前記測定結果を示す前記第三の音を送信し、前記第一の試験装置から送られた前記所定の音声を録音し、この録音した音声に対応した前記第四の音を前記第一の試験装置へ送信する前記第二の試験装置と、
を備えたことを特徴とする音質試験システム。
（付記２）
前記第一の試験装置は、
前記第二の試験装置と交換機を介して電話回線で接続され、
前記第二の試験装置からの要請に応じて前記第二の試験装置に前記第二の音を送信し、
前記第二の試験装置からの録音開始を示す通知に応じて、操作者（試験員）の操作に基づき、前記所定の音声を送信し、
前記第二の試験装置は、
前記第一の試験装置に送信した前記要請に対応して前記第一の試験装置から前記第二の音の受信し、
前記第一の試験装置への前記録音開始を示す前記通知を送信し、この送信に対応して前記第一の試験装置から送られた前記所定の音声を録音する、
ことを特徴とする付記１記載の音質試験システム。
（付記３）
前記第一の音、前記第二の音、前記第三の音、及び前記第四一の音の各音は、トーキ音である、ことを特徴とする付記１又は２記載の音質試験システム。
（付記４）
前記第一の試験装置は、前記第二の試験装置から前記第二の音の発信の前記要請を示すトーキ音を受けて放音し、操作者（試験員）の操作に基づき、前記第二の音を前記第二の試験装置へ送信する、
ことを特徴とする付記１、２又は３記載の音質試験システム。
（付記５）
前記第一の試験装置は、前記第二の試験装置からの録音開始を示す前記通知を示すトーキ音を受けて放音し、操作者（試験員）の操作に基づき、前記所定の音声を送信する、
ことを特徴とする付記２、又は３記載の音質試験システム。
（付記６）
前記第一の試験装置は、前記第二の試験装置に送信する前記所定の音声を、電話機を使用して送信する、
ことを特徴とする付記１、２又は３記載の音質試験システム。
（付記７）
前記第二の試験装置を備える前記他の拠点は、複数あることを特徴とする付記１から６のいずれかに記載の音質試験システム。
（付記８）
所定の試験対象装置から所定のレベル（音量）で送信された音に対して受信した第一の音のレベルを表示するとともに前記第一の音を放音し、
前記試験対象装置に所定のレベルで送信した第二の音の前記試験対象装置でのレベルの測定結果を示す第三の音を前記試験対象装置から受けて放音し、
前記試験対象装置に送信した所定の音声の複製を、前記試験対象装置から受信して放音する
ことを特徴とする試験装置。
（付記９）
電話局を示す自身の拠点の備える第一の試験装置により、この第一の試験装置と他の電話局を示す拠点の備える第二の試験装置との試験結果を報知する音質試験方法であって、
前記第二の試験装置により、前記第一の試験装置からの電話番号による発信を受け、前記第一の試験装置に第一の音を所定のレベル（音量）で送信し、
前記第一の試験装置により、前記第二の試験装置から前記第一の音を受け、この音のレベルを測定して表示するとともに前記第一の音を放音し、
前記第一の試験装置により、前記第二の試験装置に第二の音を所定のレベルで送信し、
前記第二の試験装置により、前記第一の試験装置から受信した前記第二の音のレベルを測定して前記測定結果を示す前記第三の音を前記第一の試験装置に送信し、
前記第一の試験装置により、前記第三の音を前記第二の試験装置から受けて放音し、
前記第一の試験装置により、操作者（試験員）の操作に基づき、所定の音声を前記第二の試験装置に送信し、
前記第二の試験装置により、前記第一の試験装置から送られた前記所定の音声を録音し、この録音した音声に対応した前記第四の音を前記第一の試験装置へ送信し、
前記第一の試験装置により、前記第二の試験装置から、前記第四の音を受けて放音する、
ことを特徴とする音質試験方法。
（付記１０）
前記第一の試験装置は、
前記第二の試験装置と交換機を介して電話回線で接続され、
前記第二の試験装置からの要請に応じて前記第二の試験装置に前記第二の音を送信し、
前記第二の試験装置からの録音開始を示す通知に応じて、操作者（試験員）の操作に基づき、前記所定の音声を送信し、
前記第二の試験装置は、
前記第一の試験装置に送信した前記要請に対応して前記第一の試験装置から前記第二の音の受信し、
前記第一の試験装置への前記録音開始を示す前記通知を送信し、この送信に対応して前記第一の試験装置から送られた前記所定の音声を録音する、
ことを特徴とする付記９記載の音質試験方法。
（付記１１）
前記第一の音、前記第二の音、前記第三の音、及び前記第四一の音の各音は、トーキ音である、ことを特徴とする付記９又は１０記載の音質試験方法。
（付記１２）
前記第一の試験装置は、前記第二の試験装置から前記第二の音の発信の前記要請を示すトーキ音を受けて放音し、操作者（試験員）の操作に基づき、前記第二の音を前記第二の試験装置へ送信する、
ことを特徴とする付記９、１０又は１１記載の音質試験方法。
（付記１３）
前記第一の試験装置は、前記第二の試験装置からの録音開始を示す前記通知を示すトーキ音を受けて放音し、操作者（試験員）の操作に基づき、前記所定の音声を送信する、
ことを特徴とする付記１０、又は１１記載の音質試験方法。
（付記１４）
前記第一の試験装置は、前記第二の試験装置に送信する前記所定の音声を、電話機を使用して送信する、
ことを特徴とする付記９、１０又は１１記載の音質試験方法。
（付記１５）
所定の試験対象装置から所定のレベル（音量）で送信された音に対して受信した第一の音のレベルを表示するとともに前記第一の音を放音し、
前記試験対象装置に所定のレベルで送信した第二の音の前記試験対象装置でのレベルの測定結果を示す第三の音を前記試験対象装置から受けて放音し、
前記試験対象装置に送信した所定の音声の複製を、前記試験対象装置から受信して放音する、
ことを特徴とする音質試験方法。
【符号の説明】
【００５８】
１  音質試験システム
２  第一の試験装置
３  第二の試験装置
４  第一の交換機
５  第二の交換機
１０  ＡＴＭＥ（ａ）
１１  ＡＴＭＥ（ｂ）
【図１】
0006392558.tif 000002
【図２】
0006392558.tif 000003
【図３】
0006392558.tif 000004
【図４】
0006392558.tif 000005
【図５】
0006392558.tif 000006